(57)【要約】【課題】この発明は、デジタル無線信号を受信するための装置に関する。【解決手段】この装置は、複数の伝送ストリームパスを持つデジタル無線受信機と少なくとも二つの信号受信端を有する。さらに、スイッチング手段を有し、このスイッチング手段を介して、これらの各伝送ストリームパスは、これらの各信号受信端と接続可能である。
2004523165.tif 000002
【特許請求の範囲】
【請求項１】
複数の伝送ストリームパスを備えたデジタル無線受信機と、
少なくとも二つの信号受信端と、
スイッチング手段（Ｓ１，Ｓ２）とを有し、
これらの各伝送ストリームパス（Ｐ１，Ｐ２）が、このスイッチング手段を介して、これらの各信号受信端（９，１１）と接続可能である、デジタル無線信号を受信するための装置。
【請求項２】
前記の第一の伝送ストリームパスが、第一の符号化された無線信号を伝送するために使用されることと、前記の第二の伝送ストリームパスが、第一の無線信号の符号化方式と一致する符号化方式を持つ第二の符号化された無線信号を同時に伝送するために配備されていることと、この装置が、この符号化方式を持つ信号を復号するために、ただ一つの復号器を備えていることと、ならびに制御ユニット（７）が、前記のスイッチング手段（Ｓ１，Ｓ２）を制御して、これらの符号化された無線信号の一つが、復号された形で前記の第一の信号受信端に供給され、他方の符号化された無線信号が、符号化された形で前記の第二の信号受信端に供給されるようにすることを特徴とする、請求項１に記載の装置。
【請求項３】
前記の伝送ストリームパスの一つ（Ｐ１）が、前記のデジタル無線受信機（１）の衛星信号入力端子（３）から入力されたＭＰＥＧ伝送ストリームを伝送するために使用されることを特徴とする、請求項１または２に記載の装置。
【請求項４】
前記の伝送ストリームパスの一つ（Ｐ２）が、前記のデジタル無線受信機（１）のケーブル信号入力端子（３ａ）または地上波アンテナ入力端子から入力されたＭＰＥＧ伝送ストリームを伝送するために使用されることを特徴とする、請求項１から３までのどれか一つに記載の装置。
【請求項５】
前記のスイッチング手段が、第一のスイッチ（Ｓ１）を備えており、このスイッチによって、前記の各伝送ストリームパス（Ｐ１，Ｐ２）が、前記のデジタル無線受信機（１）の第一のインタフェース（６）を介して、第一の付加モジュール（１２）と接続可能であることを特徴とする、請求項１から４までのどれか一つに記載の装置。
【請求項６】
前記のスイッチング手段が、第一のスイッチ（Ｓ１）を備えており、このスイッチによって、前記の各伝送ストリームパス（Ｐ１，Ｐ２）が、前記のデジタル無線受信機（１）の信号処理ユニット（８，８ａ）と直接的に接続可能であることを特徴とする、請求項１から５までのどれか一つに記載の装置。
【請求項７】
前記のデジタル無線受信機（１）が、二つの並列に接続された信号処理ユニット（８，８ａ）を備えており、これらの信号処理ユニットの出力が、第二のスイッチ（Ｓ２）と接続されており、このスイッチによって、これらの各信号処理ユニット（８，８ａ）が、前記の各信号受信端（９，１１）と接続可能であることを特徴とする、請求項６に記載の装置。
【請求項８】
前記の信号受信端の一つが、信号再生ユニット（１１）であり、他方の信号受信端が、記憶ユニット（９）であることを特徴とする、請求項１から７までのどれか一つに記載の装置。
【請求項９】
前記の記憶ユニットが、ハードディスク記憶装置（９）であることを特徴とする、請求項８に記載の装置。
【請求項１０】
前記の制御ユニット（７）が、前記のデジタル無線受信機（１）の中央制御ユニットであり、前記のスイッチング手段（Ｓ１，Ｓ２）の切換え制御信号を生成するために使用されることを特徴とする、請求項１から７までのどれか一つに記載の装置。
【請求項１１】
前記の制御ユニット（７）が、操作ユニット（１６，１７）を用いて入力される操作コマンドに対する応答としての切換え信号を生成することを特徴とする、請求項１０に記載の装置。
【請求項１２】
前記の操作コマンドが、テレビ受像機（１１）のリモートコントロールユニット（１６）を用いて入力可能であるとともに、テレビ受像機（１１）の制御ユニット（１８）から、デジタル無線受信機（１）の制御ユニット（７）に伝送可能であることを特徴とする、請求項１１に記載の装置。
【請求項１３】
前記のデジタル無線受信機（１）の制御ユニット（７）が、前記の第一のインタフェース（６）を介して、前記の第一の付加モジュール（１２）の制御ユニットと接続可能であることを特徴とする、請求項５から１２までのどれか一つに記載の装置。
【請求項１４】
前記のデジタル無線受信機（１）の制御ユニット（７）が、前記のスイッチング手段（Ｓ１，Ｓ２）、前記の信号処理ユニット（８，８ａ）および前記の第一の付加モジュール（１２）を制御して、
第一の伝送ストリームパスから出力される符号化された形の無線信号が、第一の付加モジュール（１２）で復号されて、この第一の伝送ストリームパスから出力され、この第一の付加モジュール（１２）で復号された無線信号が、前記のインタフェース（６）を介して、このデジタル無線受信機（１）に送り返されて、そこにおいて、この信号処理ユニット（８）を介して、前記の信号再生装置（１１）に転送されること、ならびに、
第一の伝送ストリームパスから出力される無線信号と同じ符号化方式で符号化された、第二の伝送ストリームパスから出力される第二の無線信号が、このスイッチング手段（Ｓ１，Ｓ２）を介して、符号化された形で前記の記憶ユニット（９）に供給されること、
を特徴とする、請求項１から１３までのどれか一つに記載の装置。
【請求項１５】
前記のデジタル無線受信機（１）が、複数のインタフェース（６，６ａ）を備えており、これらのインタフェースを介して、このデジタル無線受信機（１）が、それぞれ付加モジュール（１２，１２ａ）と接続されること、これらの各付加モジュールの出力信号が、これらの各インタフェース（６，６ａ）を介して、このデジタル無線受信機（１）に送り戻されて、これらの各付加モジュールが、これらの各インタフェース（６，６ａ）と前記のスイッチング手段を介して、前記の各信号受信端（９，１１）と接続可能であること、
を特徴とする、請求項１から１４までのどれか一つに記載の装置。
【請求項１６】
前記の無線信号の一つに対して、その他の無線信号よりも高い優先度が付与されることを特徴とする、請求項１から１５までのどれか一つに記載の装置。
【請求項１７】
前記の優先度の付与が、前記の操作ユニットを用いて行われることを特徴とする、請求項１６に記載の装置。
【請求項１８】
この装置が、優先度のリストに関する記憶装置を備えていることを特徴とする、請求項１６または１７に記載の装置。
【請求項１９】
前記の第二の伝送ストリームパスから出力され、符号化された形で保存されている信号の復号が、相応の操作コマンドの入力にもとづき実施されることを特徴とする、請求項１４から１８までのどれか一つに記載の装置。
【請求項２０】
前記の操作コマンドが、待機コマンドであることを特徴とする、請求項１９に記載の装置。
【発明の詳細な説明】
【技術分野】
【０００１】
この発明は、デジタル無線信号を受信するための装置に関する。
【背景技術】
【０００２】
アナログおよび／またはデジタル衛星無線信号を受信するために用意された、所謂セットトップボックスが既に知られている。そのようなセットトップボックスは、一般的には独立した装置の形で実現され、衛星受信設備の外部ユニットと従来のテレビ受像機間に挿入される。そのようなセットトップボックスにおいては、衛星受信設備の外部ユニットから出力される信号から、従来のテレビ受像機に対して、そのＨＦ入力またはその欧州ＡＶジャックを介して入力される信号への変換が行われる。
【０００３】
さらに、セットトップボックスの構成部品をモジュール形式で実現すること、およびこれらのモジュールをテレビ受像機の筐体と統合することが、既に知られている。
【０００４】
無線衛星を介して伝送されるデジタル無線信号は、デジタルオーディオおよびビデオデータ以外に、デジタルテレテキストデータおよびその他のデジタルデータを収容することができ、それらは、デジタル受信装置を用いて受信可能である。さらに、デジタル受信装置を用いて、インターネットデータおよび／またはその他のデータサービスへアクセスすることも期待されている。単独のデジタル受信装置を用いて、多数の異なるデジタルデータを受信し、処理できることを希望する場合には、デジタル受信装置の高い製造コストとそれによる高い末端販売価格を甘受しなければならない。さらに、そのようなデジタル受信装置は、その構造が複雑となり、その結果装置の開発者に高い要求条件が課されることとなる。また、実際には、そのようなデジタル受信装置の大抵の購入者は、装置の多くの機能を全く利用していない。それにもかかわらず、これらの装置の購入者は、デジタル受信装置に対して、そのような高い値段を支払わねばならない。
【０００５】
これらの欠点は、ドイツ特許公開第１０００７７１０号明細書に記載されている、デジタル無線信号を受信するための装置により回避される。この周知の装置は、付加モジュールを備え、このモジュールは、装置のインタフェースを介して、デジタル受信装置と接続可能である。この付加モジュールは、信号処理ユニットを備え、そのユニットの入力側には、受信信号から導き出され、デジタル受信装置で利用されるＭＰＥＧ伝送ストリームが供給される。付加モジュールの信号処理ユニットの出力信号は、装置のインタフェースを介して、デジタル受信装置に戻され、そこでさらに処理される。
【特許文献１】
ドイツ特許公開第１０００７７１０号明細書
【発明の開示】
【発明が解決しようとする課題】
【０００６】
この発明の課題は、この周知の装置の利便性を拡大することができる方法を提示することである。
【課題を解決するための手段】
【０００７】
この課題は、請求項１に示された特徴を持つ装置により解決される。この発明の有利な実施形態と改良構成は、従属請求項から明らかとなる。
【発明の効果】
【０００８】
この発明の利点は、特に、デジタル無線受信機に配備された各伝送ストリームパスが、各信号受信端と接続可能であるということにある。これは、様々な無線プログラム、特に同じ符号方式で符号化または暗号化された無線プログラムを同時に受信する場合に、これらのプログラムの一つを既存の復号器または解読器を用いて復号し、復号された形で再生装置で再生すること、ならびにその他のプログラムを符号化または暗号化された形で保存することの可能性を開くものである。この符号化された形で保存した信号を、もはやその復号器が他で必要とされなくなった、その後の時点において、復号し、復号された形で再生するか、または新たに保存することができる。
【０００９】
有利には、セットトップボックスまたはデジタルテレビ受像機となることが可能なデジタル無線受信機は、複数のインタフェースを備えており、これらのインタフェースを介して、複数の付加モジュールと接続される。これらの各付加モジュールは、一つまたは複数の信号処理ユニット、例えば解読器、ＭＰ３オーディオ信号復号器、ドルビーサラウンド復号器などを持っている。これらの各付加モジュールは、請求項に記載したスイッチング手段を介して、各信号受信端と接続可能であり、その結果この点に関しても、デジタル無線受信機の利便性が拡大されるものである。
【００１０】
この発明の別の有利な特徴は、デジタル無線信号を受信するための装置のブロック回路図を示す図面にもとづく例示的な説明から明らかとなる。
【発明を実施するための最良の形態】
【００１１】
図示した装置は、デジタル無線受信機１、このデジタル無線受信機とインタフェース６を介して接続される付加モジュール１２、このデジタル無線受信機とインタフェース６ａを介して接続される付加モジュール１２ａ、およびこのデジタル無線受信機と接続されるテレビ装置１１を持つ。このテレビ装置は、操作ユニットとしてリモートコントロール送信機１６を備えており、その赤外線出力信号は、リモートコントロール受信機１７で検出され、テレビ装置の制御ユニット１８に転送される。この制御ユニットは、入力された操作コマンドをテレビ装置の他の構成部品に対する制御信号に変換するとともに、デジタル無線受信機１の制御ユニット７と双方向接続されている。
【００１２】
ここに示した実施例において、セットトップボックスであるデジタル無線受信機は、入力端子３と３ａを備えている。この入力端子３は、衛星信号の入力端子であり、この端子を介して、衛星アンテナから出力されたデジタル信号がデジタル無線受信機に供給される。入力端子３ａは、ケーブル伝送リンクに接続された入力端子であり、この端子を介して、ケーブル上を伝送されるデジタル信号が、デジタル無線受信機に供給される。
【００１３】
この入力端子３は、チューナ４と復調器５を備えた受信ユニットと接続されている。この復調器５は、その出力にＭＰＥＧ伝送ストリームの形のデジタルデータを提供する。この伝送ストリームは、複数のサービスを多重化したものを収容し、その際その信号は、パケットの形で伝送される。一つのサービスは、一つまたは複数のテレビプログラム、一つまたは複数のラジオプログラム、テレテキストデータのような、これらのラジオまたはテレビプログラムの付加データ、多言語オーディオデータ、番組雑誌またはサブタイトルデータを収容することができる。さらに、一つのサービスは、データサービスまたはＥＤＶ形式のプログラムを収容することもできる。このチューナ４と復調器５は、デジタル無線受信機の中央制御ユニット７から生成される制御信号によって制御される。
【００１４】
この入力端子３ａは、チューナ４ａと復調器５ａを備えた受信ユニットと接続されている。この復調器５ａも、その出力にＭＰＥＧ伝送ストリームの形のデジタルデータを提供する。この伝送ストリームは、複数のサービスを多重化したものを収容し、その際その信号は、パケットの形で伝送される。一つのサービスは、一つまたは複数のテレビプログラム、一つまたは複数のラジオプログラム、テレテキストデータのような、これらのラジオまたはテレビプログラムの付加データ、多言語オーディオデータ、番組雑誌またはサブタイトルデータを収容することができる。さらに、一つのサービスは、データサービスまたはＥＤＶ形式のプログラムを収容することもできる。このチューナ４ａと復調器５ａは、同じくデジタル無線受信機の中央制御ユニット７から生成される制御信号によって制御される。
【００１５】
したがって、復調器５と５ａの出力のところには、ＭＰＥＧ伝送ストリームパスＰ１とＰ２があり、これらは、第一のスイッチＳ１の入力と接続されている。
【００１６】
スイッチＳ１の上記の出力に現れるＭＰＥＧ伝送ストリームは、信号処理ユニット８とインタフェース６に転送される。インタフェース６を介して、このＭＰＥＧ伝送ストリームは、解読器１９と制御ユニット２０を持つ付加モジュール１２に到達する。この付加モジュール１２の制御ユニット２０は、インタフェース６を介して、デジタル無線受信機１の制御ユニット７と双方向接続されている。例えば、この結線を介して、解読するＭＰＥＧ伝送ストリームの下位データストリームに関する、付加モジュールにおいて信号の解読に必要な特性データの伝送が行われる。付加モジュール１２で解読された信号は、インタフェース６を介して、デジタル無線受信機１に戻され、そこで信号処理ユニット８に転送される。
【００１７】
スイッチＳ１の下方の出力に現れるＭＰＥＧ伝送ストリームは、信号処理ユニット８ａとインタフェース６ａに転送される。インタフェース６ａを介して、このＭＰＥＧ伝送ストリームは、ＭＰ３復号器２１と制御ユニット２２を持つ付加モジュール１２ａに到達する。この付加モジュール１２ａの制御ユニット２２は、インタフェース６ａを介して、デジタル無線受信機１の制御ユニット７と双方向接続されている。例えば、この結線を介して、復号するＭＰＥＧ伝送ストリームの下位データストリームに関する、付加モジュールにおいて信号の復号に必要な特性データの伝送が行われる。付加モジュール１２ａで復号された信号は、インタフェース６ａを介して、デジタル無線受信機１に戻され、そこで信号処理ユニット８ａに転送される。
【００１８】
信号処理ユニット８と８ａの出力は、第二のスイッチＳ２の入力と接続されている。スイッチＳ２の左下方の出力に現れる信号は、テレビ装置１１に転送され、その画面上に描画される。スイッチＳ２の右下方の出力に現れる信号は、ハードディスク記憶装置９に供給され、そこで保存される。
【００１９】
スイッチＳ１とＳ２、付加モジュール１２と１２ａ、ならびに信号処理ユニット８と８ａは、同じく中央制御ユニット７により制御される。
【００２０】
各伝送ストリームパスＰ１とＰ２は、スイッチング手段Ｓ１とＳ２を介して、各信号受信端９と１１と接続可能である。同様に、各付加モジュール１２と１２ａは、スイッチＳ２を介して、各信号受信端９と１１と接続可能である。以下において、このことを例示的に説明する。
【００２１】
利用者が、衛星を介して暗号化されて伝送される一定のテレビ放送を、テレビ装置１１を用いて生放送で再生したい場合、リモートコントロール送信機１６を用いて、相応の操作コマンドを入力する。このコマンドは、リモートコントロール受信機１７で受信され、テレビ装置１１の制御ユニット１８に転送される。この制御ユニット１８は、入力された操作コマンドに応じて、送信メモリに対してアドレス指定を行い、そこからこのテレビ放送に付属する特性データを引き出す。この特性データには、信号の情報源「衛星」、受信周波数、そのテレビ放送に対応した下位データストリームの特性、信号の暗号方式などの情報がある。これらの特性データは、この送信メモリのプログラム構造形式で、この装置の利用開始時に記録されるか、または操作ユニットを用いて入力される。
【００２２】
この送信メモリから読み出された、希望するテレビ放送の特性データは、テレビ装置１１の制御ユニット１８からセットトップボックス１の制御ユニット７に伝送される。この制御ユニット７は、受信部４，５、スイッチＳ１、付加モジュール１２、信号処理ユニット８およびスイッチＳ２に対する制御信号を生成して、希望のテレビ放送が、伝送ストリームパスＰ１上に伝送され、付加モジュール１２で解読されて、そこからインタフェース６、信号処理ユニット８およびスイッチＳ２を介して、テレビ装置１１に供給され、その画面上で再生されるようにする。
【００２３】
さて、利用者が、前述のテレビ放送と同じ暗号方式で暗号化されて、ケーブル上を伝送される、同時伝送されている第二のテレビ放送を受信し、再生したい場合には、それは、以下のとおり処理される。
【００２４】
利用者は、リモートコントロール送信機１６を用いて、相応の操作コマンドを入力する。このコマンドは、リモートコントロール受信機１７で受信され、テレビ装置１１の制御ユニット１８に転送される。この制御ユニット１８は、入力された操作コマンドに応じて、送信メモリに対してアドレス指定を行い、そこから第二のテレビ放送に付属する特性データを引き出す。この特性データには、信号情報源「ケーブル」、受信周波数、その第二のテレビ放送に対応した下位データストリームの特性、信号の暗号方式などの情報がある。
【００２５】
この送信メモリから読み出された、第二のテレビ放送の特性データは、テレビ装置１１の制御ユニット１８からセットトップボックス１の制御ユニット７に伝送される。この制御ユニット７は、第二のテレビ放送の再生のためには、付加モジュール１２での解読も必要であることを認識する。しかし、目下のところ、付加モジュール１２は、伝送ストリームパスＰ１上を伝送されている第一のテレビ放送の解読に必要であり、そのためその時点では、利用できない。したがって、この制御ユニット７は、受信部４ａ，５ａ、スイッチＳ１、信号処理ユニット８ａおよびスイッチＳ２に対する制御信号を生成して、希望の第二のテレビ放送が、伝送ストリームパスＰ２上に伝送され、暗号化された形でスイッチＳ２を介して、ハードディスク記憶装置９に供給され、そこに保存されるようにする。
【００２６】
その後の時点で、付加モジュール１２に収容された解読器が、伝送ストリームパスＰ１上にある第一のテレビ放送の解読にもはや必要とされなくなった場合に、ハードディスク記憶装置９に暗号化された形で保存されている第二のテレビ放送の解読を開始することができる。それから、解読された第二のテレビ放送は、テレビ装置１１の画面上での再生、または図示されていない記録媒体への解読された形での記録のために利用される。
【００２７】
利用者は、操作ユニットを用いて、同時に伝送されているテレビ放送のどちらに、より高い優先度を与えるかを決めることができる。例えば、同じ符号化方式または暗号化方式の第二のテレビ放送が、そのように同時に伝送されていることを検出した場合に、この装置の制御ユニットは、画面表示を開始し、それによって、どちらの放送を生放送として復号、再生するのか、およびどちらの放送を符号化または暗号化された形で保存するのかを指示することを、利用者に求める。
【００２８】
それに代わって、メモリに保存された優先度リストを利用することも可能である。例えば、二つのテレビ放送のうちの一つをテレビ受像機に接続されているビデオレコーダを用いて録画し、他方のテレビ放送を画面上で見る場合には、画面上で見たい放送に、より高い優先度を付与することができる。この場合には、画面上で見たい放送の復号または解読と再生が、リアルタイムで行われるとともに、ビデオレコーダに録画する放送が、符号化または暗号化された形でハードディスク記憶装置に記録される。そして、復号器または解読器が、もはや他で必要とされなくなった場合に、ハードディスク記憶装置から読み出された符号化または暗号化された形の信号が、復号され、続いて復号された形でビデオレコーダを用いて記録される。
【００２９】
ハードディスク記憶装置の符号化された形の信号の復号を目的とする読み出しは、操作ユニットを用いて入力される操作コマンドに応じて開始するか、あるいは、例えば利用者が、この装置を待機状態に切り換えて、その後自動的に開始するようにすることができる。ハードディスク記憶装置から読み出される、符号化された形の信号の復号速度は、最大限に可能な記号速度で実行することができる。
【図面の簡単な説明】
【００３０】
【図１】この発明にもとづくデジタル無線信号を受信するための装置のブロック回路図
【符号の説明】
【００３１】
１          デジタル無線受信機
３，３ａ    入力端子
４，４ａ    チューナ
５，５ａ    復調器
６，６ａ    インタフェース
７          中央制御ユニット（デジタル無線受信機の）
８，８ａ    信号処理ユニット
９          ハードディスク記憶装置
１１          テレビ装置
１２，１２ａ  付加モジュール
１６          リモートコントロール送信機
１７          リモートコントロール受信機
１８          制御ユニット（テレビ装置の）
１９          解読器
２０，２２    制御ユニット（付加モジュールの）
２１          ＭＰ３復号器
Ｐ１，Ｐ２    ＭＰＥＧ伝送ストリームパス
Ｓ１，Ｓ２    スイッチ
【国際公開パンフレット】
2004523165.tif 000003
2004523165.tif 000004
2004523165.tif 000005
2004523165.tif 000006
2004523165.tif 000007
2004523165.tif 000008
2004523165.tif 000009
2004523165.tif 000010
2004523165.tif 000011
2004523165.tif 000012
2004523165.tif 000013
2004523165.tif 000014
2004523165.tif 000015
2004523165.tif 000016
2004523165.tif 000017
2004523165.tif 000018
2004523165.tif 000019
【国際公開パンフレット（コレクトバージョン）】
2004523165.tif 000020
2004523165.tif 000021
【手続補正書】
【提出日】平成15年7月28日(2003.7.28)
【手続補正１】
【補正対象書類名】特許請求の範囲
【補正対象項目名】全文
【補正方法】変更
【補正の内容】
【特許請求の範囲】
【請求項１】
複数の伝送ストリームパスを備えたデジタル無線受信機と、
少なくとも二つの信号受信端と、
スイッチング手段（Ｓ１，Ｓ２）とを有し、
これらの各伝送ストリームパス（Ｐ１，Ｐ２）が、このスイッチング手段を介して、これらの各信号受信端（９，１１）と接続可能であり、
その際このスイッチング手段が、第一のスイッチ（Ｓ１）を備えており、このスイッチによって、これらの各伝送ストリームパス（Ｐ１，Ｐ２）が、このデジタル無線受信機（１）の第一のインタフェース（６）を介して、第一の付加モジュール（１２）と接続可能である、デジタル無線信号を受信するための装置。
【請求項２】
前記の第一の伝送ストリームパスが、第一の符号化された無線信号を伝送するために使用されることと、前記の第二の伝送ストリームパスが、第一の無線信号の符号化方式と一致する符号化方式を持つ第二の符号化された無線信号を同時に伝送するために配備されていることと、この装置が、この符号化方式を持つ信号を復号するために、ただ一つの復号器を備えていることと、ならびに制御ユニット（７）が、前記のスイッチング手段（Ｓ１，Ｓ２）を制御して、これらの符号化された無線信号の一つが、復号された形で前記の第一の信号受信端に供給され、他方の符号化された無線信号が、符号化された形で前記の第二の信号受信端に供給されるようにすることを特徴とする、請求項１に記載の装置。
【請求項３】
前記の伝送ストリームパスの一つ（Ｐ１）が、前記のデジタル無線受信機（１）の衛星信号入力端子（３）から入力されたＭＰＥＧ伝送ストリームを伝送するために使用されることを特徴とする、請求項１または２に記載の装置。
【請求項４】
前記の伝送ストリームパスの一つ（Ｐ２）が、前記のデジタル無線受信機（１）のケーブル信号入力端子（３ａ）または地上波アンテナ入力端子から入力されたＭＰＥＧ伝送ストリームを伝送するために使用されることを特徴とする、請求項１から３までのどれか一つに記載の装置。
【請求項５】
前記のスイッチング手段が、第一のスイッチ（Ｓ１）を備えており、このスイッチによって、前記の各伝送ストリームパス（Ｐ１，Ｐ２）が、前記のデジタル無線受信機（１）の信号処理ユニット（８，８ａ）と直接的に接続可能であることを特徴とする、請求項１から４までのどれか一つに記載の装置。
【請求項６】
前記のデジタル無線受信機（１）が、二つの並列に接続された信号処理ユニット（８，８ａ）を備えており、これらの信号処理ユニットの出力が、第二のスイッチ（Ｓ２）と接続されており、このスイッチによって、これらの各信号処理ユニット（８，８ａ）が、前記の各信号受信端（９，１１）と接続可能であることを特徴とする、請求項５に記載の装置。
【請求項７】
前記の信号受信端の一つが、信号再生ユニット（１１）であり、他方の信号受信端が、記憶ユニット（９）であることを特徴とする、請求項１から６までのどれか一つに記載の装置。
【請求項８】
前記の記憶ユニットが、ハードディスク記憶装置（９）であることを特徴とする、請求項７に記載の装置。
【請求項９】
前記の制御ユニット（７）が、前記のデジタル無線受信機（１）の中央制御ユニットであり、前記のスイッチング手段（Ｓ１，Ｓ２）の切換え制御信号を生成するために使用されることを特徴とする、請求項１から８までのどれか一つに記載の装置。
【請求項１０】
前記の制御ユニット（７）が、操作ユニット（１６，１７）を用いて入力される操作コマンドに対する応答としての切換え信号を生成することを特徴とする、請求項９に記載の装置。
【請求項１１】
前記の操作コマンドが、テレビ受像機（１１）のリモートコントロールユニット（１６）を用いて入力可能であるとともに、テレビ受像機（１１）の制御ユニット（１８）から、デジタル無線受信機（１）の制御ユニット（７）に伝送可能であることを特徴とする、請求項１０に記載の装置。
【請求項１２】
前記のデジタル無線受信機（１）の制御ユニット（７）が、前記の第一のインタフェース（６）を介して、前記の第一の付加モジュール（１２）の制御ユニットと接続されることを特徴とする、請求項１から１１までのどれか一つに記載の装置。
【請求項１３】
前記のデジタル無線受信機（１）の制御ユニット（７）が、前記のスイッチング手段（Ｓ１，Ｓ２）、前記の信号処理ユニット（８，８ａ）および前記の第一の付加モジュール（１２）を制御して、
第一の伝送ストリームパスから出力される符号化された形の無線信号が、第一の付加モジュール（１２）で復号されて、この第一の伝送ストリームパスから出力され、この第一の付加モジュール（１２）で復号された無線信号が、前記のインタフェース（６）を介して、このデジタル無線受信機（１）に送り返されて、そこにおいて、この信号処理ユニット（８）を介して、前記の信号再生装置（１１）に転送されること、ならびに、
第一の伝送ストリームパスから出力される無線信号と同じ符号化方式で符号化された、第二の伝送ストリームパスから出力される第二の無線信号が、このスイッチング手段（Ｓ１，Ｓ２）を介して、符号化された形で前記の記憶ユニット（９）に供給されること、
を特徴とする、請求項１から１２までのどれか一つに記載の装置。
【請求項１４】
前記のデジタル無線受信機（１）が、複数のインタフェース（６，６ａ）を備えており、これらのインタフェースを介して、このデジタル無線受信機（１）が、それぞれ付加モジュール（１２，１２ａ）と接続されること、これらの各付加モジュールの出力信号が、これらの各インタフェース（６，６ａ）を介して、このデジタル無線受信機（１）に送り戻されて、これらの各付加モジュールが、これらの各インタフェース（６，６ａ）と前記のスイッチング手段を介して、前記の各信号受信端（９，１１）と接続可能であること、
を特徴とする、請求項１から１３までのどれか一つに記載の装置。
【請求項１５】
前記の無線信号の一つに対して、その他の無線信号よりも高い優先度が付与されることを特徴とする、請求項１から１４までのどれか一つに記載の装置。
【請求項１６】
前記の優先度の付与が、前記の操作ユニットを用いて行われることを特徴とする、請求項１５に記載の装置。
【請求項１７】
この装置が、優先度のリストに関する記憶装置を備えていることを特徴とする、請求項１５または１６に記載の装置。
【請求項１８】
前記の第二の伝送ストリームパスから出力され、符号化された形で保存されている信号の復号が、相応の操作コマンドの入力にもとづき実施されることを特徴とする、請求項１３から１７までのどれか一つに記載の装置。
【請求項１９】
前記の操作コマンドが、待機コマンドであることを特徴とする、請求項１８に記載の装置。
【国際調査報告】
2004523165.tif 000022
2004523165.tif 000023
2004523165.tif 000024
2004523165.tif 000025
2004523165.tif 000026
2004523165.tif 000027
2004523165.tif 000028
2004523165.tif 000029